(57)【要約】【課題】高い耐水圧性等を備えながら、簡便容易に止水板用支持柱を設置可能とする止水板用支持柱の設置構造を提供する。【解決手段】建物開口を封鎖して外部からの流入水を止水する止水板を支持する止水板用支持柱の設置構造であって、前記止水板用支持柱は、下端側が開口域床面を陥入させて形成した竪孔に嵌装され、上方に止水板と当接して支持する止水板当接面を有し、前記止水板用支持柱の前記下端側及び前記竪孔に当接する補助具が嵌装されていること、を特徴とする止水板用支持柱の設置構造。【選択図】図１
2019127788.tif 000002
【特許請求の範囲】
【請求項１】
建物開口を封鎖して外部からの流入水を止水する止水板を支持する止水板用支持柱の設置構造であって、
前記止水板用支持柱は、下端側が開口域床面を陥入させて形成した竪孔に嵌装され、上方に止水板と当接して支持する止水板当接面を有し、前記止水板用支持柱の前記下端側及び前記竪孔に当接する補助具が嵌装されていること、
を特徴とする止水板用支持柱の設置構造。
【請求項２】
前記止水板用支持柱、前記竪孔及び前記補助具は、それぞれ複数の竪面を具備し、
前記止水板用支持柱が、前記竪孔に嵌装されて、前記竪孔の前記竪面と当接するＡ１当接竪面及び前記補助具と当接するＡ２当接竪面を備え、
前記補助具が前記竪孔に嵌装されて、前記竪孔の前記竪面と当接するＢ２当接竪面及び前記止水板用支持柱のＡ２当接竪面と当接するＢ１当接竪面を備えること、
を特徴とする請求項１に記載の止水板用支持柱の設置構造。
【請求項３】
前記止水板用支持柱の前記Ａ１当接竪面と前記Ａ２当接竪面とが前記止水板用支持柱の反対面に設置され、かつ前記補助具の前記Ｂ１当接竪面と前記Ｂ２当接竪面とが前記補助具の反対面に配設されていること、
を特徴とする請求項１又は２に記載の止水板用支持柱の設置構造。
【請求項４】
前記止水板用支持柱の前記Ａ１当接竪面が、止水材により構成されていること、
を特徴とする請求項２又は３に記載の止水板用支持柱の設置構造。
【請求項５】
前記補助具の上方に押圧を受ける押圧面を備えていること、
を特徴とする請求項２〜４のいずれかに記載の止水板用支持柱の設置構造。
【請求項６】
前記止水板用支持柱の前記Ａ２当接竪面が左右に隔離形成されていること、
を特徴とする請求項２〜５のいずれかに記載の止水板用支持柱の設置構造。
【請求項７】
前記竪孔に前記止水板用支持柱を嵌装した後、前記止水板用支持柱と前記竪孔との間に前記補助具を嵌装して請求項１から６のいずれかに記載の止水板用支持柱の設置構造を構成する止水板用支持柱の設置方法。
【発明の詳細な説明】
【技術分野】
【０００１】
本発明は、建物の開口を封鎖して外部からの水を堰き止め、内部への水の侵入を阻止するための止水板を支持する止水板用支持柱の設置構造に関し、特に開口間口が広く、水圧によって止水板が建物内部側に撓んで止水性を担保できない場合や、止水板が破損することを防止するため、止水板の後方に配置して止水の信頼性を向上させる止水板用支持柱の設置構造に関する。
【背景技術】
【０００２】
止水板の構造や構成には、例えば特許文献１及び２に見られるような、コの字状の枠に止水板を保持させるものや、単立させるもの等が知られている。これら従来の止水板は、通常時は別の場所に保管され、有事の際に使用者が運搬して建物開口に設置することが多いため、サイズや重量等が人力に相当するものでなければならない。
【０００３】
このため、軽量な構成が優先されて、耐水圧が不足する場合が散見される。また、建物開口の間口が広いと、そこに設置した止水板の撓み量が必然的に大きくなる。更に、幅寸法が数メートルに及ぶと人間による運搬が困難となるため、一定程度の幅寸法の止水板を間口方向に複数連結して設置する必要があり、その際の連結部分の止水性や、開き及び破損を防止可能な耐水圧を向上する支持力が必要となる。
【先行技術文献】
【特許文献】
【０００４】
【特許文献１】特開２００１−９８７９２号公報
【特許文献２】特開２０１７−１６０６９３号公報
【発明の概要】
【発明が解決しようとする課題】
【０００５】
しかしながら、上記問題を解決するためには、開口域の床面に止水板用支持柱を立設し、水圧による撓みの軽減や止水板同士の連結部分の止水性等の向上が必要となるが、極めて大きな水圧に耐え、止水板の傾きや破損を防止可能な止水板用支持柱の設置方法を提供することが急務であった。
【０００６】
そこで本発明は、上記問題に鑑みて創造されたものであり、高い耐水圧性等を備えながら、簡便容易に止水板用支持柱を設置可能とする止水板用支持柱の設置構造を提供することを目的とする。
【課題を解決するための手段】
【０００７】
上記の課題を解決すべく、本発明は、
建物開口を封鎖して外部からの流入水を止水する止水板を支持する止水板用支持柱の設置構造であって、
前記止水板用支持柱は、下端側が開口域床面を陥入させて形成した竪孔に嵌装され、上方に止水板と当接して支持する止水板当接面を有し、前記止水板用支持柱の前記下端側及び前記竪孔に当接する補助具が嵌装されていること、
を特徴とする止水板用支持柱の設置構造を提供する。
【０００８】
このような構成を有する本発明の止水板用支持柱の設置構造では、止水板用支持柱が竪孔に嵌装固定されるため、高い耐水圧性を持ち、補助具を嵌装した構成のために、止水板用支持柱が竪孔内に確実に固定されて、止水板用支持柱と竪孔との間に密着面を形成することができ、良好な止水性が得られる。更に、本来は竪孔と止水板用支持柱との固定及び密着を達成するためには、止水板用支持柱と竪孔との間に隙間が生じてはならないが、竪孔と止水板用支持柱との間（建物内部側）に補助具を嵌装することで、止水板用支持柱を竪孔内に確実に固定させることができる。なお、本発明における「補助具」とは、竪孔と止水板用支持柱との間に嵌装されて、止水板用支持柱を竪孔内に確実に固定して密着させるための楔（くさび）材であり、かかる固定・密着をバックアップするバックアップ材乃至は嵌装材とも言える。
【０００９】
また、上記の本発明の止水板用支持柱の設置構造においては、
前記止水板用支持柱、前記竪孔及び前記補助具は、それぞれ複数の竪面を具備し、
前記止水板用支持柱が前記竪孔に嵌装されて、前記竪孔の前記竪面と当接するＡ１当接竪面及び前記補助具と当接するＡ２当接竪面を備え、
前記補助具が前記竪孔に嵌装されて、前記竪孔の前記竪面と当接するＢ２当接竪面及び前記止水板用支持柱のＡ２当接竪面と当接するＢ１当接竪面を備えることが望ましい。
【００１０】
このような構成を有する本発明の止水板用支持柱の設置構造では、上述した各面が当接するため止水性が向上し、竪孔と止水板用支持柱との間から水が浸入することを好適に防止することができる。
【００１１】
また、上記の本発明の止水板用支持柱の設置構造においては、前記止水板用支持柱の前記Ａ１当接竪面と前記Ａ２当接竪面とが前記止水板用支持柱の反対面に設置され、かつ前記補助具の前記Ｂ１当接竪面と前記Ｂ２当接竪面とが前記補助具の反対面に配設されていることが望ましい。即ち、前記止水板用支持柱において、前記Ａ１当接竪面の反対側に前記Ａ２当接竪面が位置する、乃至は、前記Ａ１当接竪面と前記Ａ２当接竪面とが背中合わせに対向するように位置する。また、前記補助具において、前記Ｂ１当接竪面の反対側に前記Ｂ２当接竪面が位置する、乃至は、前記Ｂ１当接竪面と前記Ｂ２当接竪面とが背中合わせに対向するように位置する。
【００１２】
このような構成を有する本発明の止水板用支持柱の設置構造では、各当接竪面が同一方向に配列されるため、隙間の発生を防止して止水性を向上することができる。また、各当接竪面の配列方向が建物開口の前後方向（建物外部側及び建物内部側）と合致し、かつ補助具が建物開口の後方側に位置する場合は、水圧によって止水板用支持柱の上端側が後方に押され、止水板用支持柱が建物内部側に傾斜するよう水圧が負荷される。これにより、止水板用支持柱の下端側は竪孔の竪面によって強く密接するため、止水性を更に向上することができる。
【００１３】
また、上記の本発明の止水板用支持柱の設置構造においては、前記止水板用支持柱の前記Ａ１当接竪面が、止水材により構成されていることが望ましい。
【００１４】
このような構成を有する本発明の止水板用支持柱の設置構造では、柔軟な止水材が止水効果を奏する程度の圧縮代で圧縮するように補助具の寸法が設定されていれば、止水板用支持柱と竪孔の止水性を向上できるだけでなく、止水板用支持柱を嵌装する際に、止水材を傷付けたり、止水材が止水板用支持柱又は竪孔から剥がれる等の不具合を防止することができる。即ち、竪孔に密着して止水板用支持柱を嵌装するには柔軟で傷付きやすい止水材が破損する懸念があるが、本発明の止水板用支持柱の設置構造では、余裕を持って止水板用支持柱を嵌装した後、補助具を嵌装させて止水板用支持柱と竪孔とを密着させるため、当該懸念を解消することができる。
【００１５】
また、上記の本発明の止水板用支持柱の設置構造においては、前記補助具の上方に押圧を受ける押圧面を備えていることが望ましい。
【００１６】
このような構成を有する本発明の止水板用支持柱の設置構造では、竪孔に止水板用支持柱を嵌装した後、止水板用支持柱と竪孔との間に補助具を嵌装する際に、上方から力をかけて補助具を容易に嵌装することができる。種々の押圧方法を用いることができ、例えば当該押圧面を足で踏み込むことで踏力を付加させたり、手のひらで押し込んだり、木槌のようなハンマーでたたき込んだりすることができる。
【００１７】
また、上記の本発明の止水板用支持柱の設置構造においては、前記止水板用支持柱の前記Ａ２当接竪面が左右に隔離形成されていることが望ましい。この構成を採ることで、左右のＡ２当接竪面間に支持柱奥向きに溝状の空間を生じさせることができる。
【００１８】
このような構成を有する本発明の止水板用支持柱の設置構造では、止水板用支持柱を例えばＣ字形（略リップ溝形鋼と同様の断面形状）断面形状等とすれば、補助具の厚さ寸法が比較的薄いものでも均等に上方から下方に押圧することができる。さらに、足、手のひらで押し込む際に、支持柱の前記した溝状の空間につま先側や指先側を逃がすことができ、押し込みが容易で、押し込み力を適切に伝えることもできるので、作業性を向上できる。
【００１９】
本発明では更に、前記竪孔に前記止水板用支持柱を嵌装した後、前記止水板用支持柱と前記竪孔との間に前記補助具を嵌装して請求項１から６のいずれかに記載の止水板用支持柱の設置構造を構成する止水板用支持柱の設置方法も提供することができる。
【発明の効果】
【００２０】
本発明によれば、高い耐水圧性を備えながら、簡便容易に止水板用支持柱を設置可能とする止水板用支持柱の設置構造を提供することができる。
【図面の簡単な説明】
【００２１】
【図１】実施形態における止水板用支持柱１の設置構造における概要を説明する模式図である。
【図２】図１における止水板用支持柱１の構造を示す図であって、図２（ａ）は、止水板用支持柱１の正面図であり、図２（ｂ）は、止水板用支持柱１の側面図であり、図２（ｃ）は、止水板用支持柱１の下端部における部分拡大図である。
【図３】図２における柱体２３の底板２９を正面視した止水板用支持柱１の底面図である。
【図４】図１における補助具５の構造を示す図であって、図４（ａ）は、補助具５の正面図であり、図４（ｂ）は、補助具５の側面図である。
【図５】図１における竪孔３の構造を示す図であって、図５（ａ）は、竪孔３を上方から見た平面図であり、図５（ｂ）は、図５（ａ）に示す矢視Ａの断面図である。
【図６】蓋４１の構造を示す図であって、図６（ａ）は、蓋４１を上方から見た平面図であり、図６（ｂ）は、図６（ａ）に示す矢視Ｂの断面図である。
【図７】止水板用支持柱１と、補助具５と、を竪孔３に嵌装する状況を示す模式図である。
【図８】竪孔３に嵌装した止水板用支持柱１及び補助具５における建物内部側１０３から建物外部側１０５方向の断面図である。
【図９】止水板１０７を建物開口１０１に設置した状態を上方から床面１０９を見た平面図である。
【図１０】止水板用支持柱１を用いたその他の止水板１０７の設置態様を示す図であって、図１０（ａ）は、出隅状の建物開口１０１に対応した態様を示す平面図であり、図１０（ｂ）は、傾斜した壁面の建物開口１０１に対応した態様を示す平面図であり、図１０（Ｃ）は、一つの止水板を設置したときの平面図である。
【図１１】止水板用支持柱５１の構造を示す斜視図である。
【図１２】補助具５５を示す図であって、図１２（ａ）は、補助具５５の構造を示す斜視図であり、図１２（ｂ）は、補助具５５を用いて竪孔３に止水板用支持柱５１を嵌装した状態を示す断面図である。
【図１３】補助具２５５を示す図であって、図１３（ａ）は、補助具２５５の構造を示す斜視図であり、図１３（ｂ）は、補助具２５５を用いて竪孔３に止水板用支持柱５１を嵌装した状態を示す断面図である。
【図１４】止水板用支持柱５１の変形例を示す図であって、図１４（ａ）は、止水板当接面５７にＩ形突起８３を具備させた止水板用支持柱５１の断面図であり、図１４（ｂ）は、止水板当接面５７にＴ形突起８５を具備させた止水板用支持柱５１の断面図である。
【図１５】その他の蓋当接面２３９の構造を示す図であって、図１５（ａ）は、蓋当接面２３９を具備する竪孔２０３を示す平面図であり、図１５（ｂ）は、図１５（ａ）の矢視Ｂを示す断面図である。
【発明を実施するための形態】
【００２２】
以下、図１〜図１５を参照しながら、本実施形態に係る止水板用支持柱の設置構造における代表的な実施形態を詳細に説明する。但し、本発明は図示されるものに限られるものではなく、各図面は本発明を概念的に説明するためのものであるから、理解容易のために必要に応じて比や数を誇張又は簡略化して表している場合もある。更に、以下の説明では、同一又は相当部分には同一符号を付し、重複する説明は省略することもある。
【００２３】
１．止水板用支持柱１の設置構造における概要
図１を用いて本実施形態における止水板用支持柱１の設置構造における概要を説明する。図１は、本実施形態における止水板用支持柱１の設置構造における概要を説明する模式図である。本実施形態の止水板用支持柱１の設置構造は、建物開口１０１を封鎖して建物外部側１０５からの水を堰き止め、建物内部側１０３への侵入を阻止するための止水板１０７を支持するものであって、建物開口１０１近傍の床面１０９（開口域床面）の所定の位置に竪孔３を配設し、この竪孔３に止水板用支持柱１を嵌装し、止水板１０７の一部を止水板用支持柱１で支持する。
【００２４】
例えば間口の広い建物開口１０１であっても、間口に対応する寸法の大きな止水板１０７の略中間部を止水板用支持柱１で支持して撓みを防止する、又は止水板用支持柱１を中継して複数枚の止水板１０７を設置して建物開口１０１の封鎖を行うことが可能となり、止水板１０７の耐水圧性を向上してより信頼性の高い止水を実現するものである。
【００２５】
図１に示すとおり、本実施形態における止水板用支持柱１の設置構造は、概ね、止水板用支持柱１と、止水板用支持柱１を嵌装する竪孔３と、止水板用支持柱１と竪孔３とを密着させる補助具５と、から構成されている。
【００２６】
２．止水板用支持柱１の構造
次に、図２（ａ）（ｂ）（ｃ）を用いて止水板用支持柱１の構造について詳細に説明する。図２（ａ）（ｂ）（ｃ）は、止水板用支持柱１の構造を示す図であって、図２（ａ）は、止水板用支持柱１の正面図であり、図２（ｂ）は、止水板用支持柱１の側面図であり、図２（ｃ）は、止水板用支持柱１の下端部における部分拡大図である。なお、本実施形態の説明では、止水板用支持柱１の上端側をＰ１、下端側をＰ２とする。
【００２７】
図２（ａ）及び（ｂ）に示すとおり、本実施形態で用いる止水板用支持柱１は、略直方体の柱体２３と、この柱体２３の上端に固定されて使用者の操作性を向上する把持部２５と、竪孔３に対する水の侵入を防止する止水材１９と、柱体２３の底板２９に配設される突起部２７と、から構成されている。
【００２８】
柱体２３は、ステンレスやアルミニウム等の耐蝕性を有する金属材料や高剛性を有する樹脂材料等で形成された略直方体の部品である。各部の寸法は、止水板１０７の支持性、耐水圧性及び取扱性等を考慮して適宜決定すればよいが、例えば正面の幅寸法Ｌ４は、５ｃｍ〜５０ｃｍ程度、側面の幅寸法Ｌ５は、２ｃｍ〜４５ｃｍ程度、高さ寸法Ｌ６は、１０ｃｍ〜１２０ｃｍ程度の範囲で設定することがより好ましい。
【００２９】
また、下端側Ｐ２から１０ｃｍ〜５０ｃｍの範囲を後述する竪孔３に対する嵌装領域とし、当該寸法位置を嵌装上端縁Ｐ３とすることが望ましい。
【００３０】
本実施形態に用いる柱体２３は、上述のとおり略直方体（断面形状が矩形）を採用しているが、これに限定されるものではなく、例えば断面形状を長円形、多角形、コの字形又はＣ字形（リップ溝形鋼と略同様の断面形状）としてもよい。また、内部は中実であっても中空であってもよい。なお、Ｃ字形の断面形状を有する柱体２３を採用した止水板用支持柱５１については後述にて詳述する。
【００３１】
柱体２３の上端側Ｐ１には天板３１が配設されており、更にこの天板３１の外部側表面には使用者が把持して止水板用支持柱１を操作するための把持部２５が配設されている。また、柱体２３の下端側Ｐ２には底板２９が配設されており、更にこの底板２９の外部側表面には後述する竪孔３の底面４３に当接する複数個の突起部２７が配設されている。なお、図３に示すとおり、同形状となる複数（本実施形態では４つ）の突起部２７を底板２９に備えており、それぞれが底板２９の角近傍に配置されている。竪孔３は、意図しない砂利等の浸入が懸念されるため、竪孔３の底面４３と柱体２３の底板２９と面接させず、上記突起部２７等を介して略点接触させることで、より傾きなどを抑えて安定させることができる。図３は、柱体２３の底板２９を下方から視た止水板用支持柱１の底面図である。
【００３２】
柱体２３の正面は、上端側Ｐ１が止水板１０７と当接する止水板当接面７となっており、下端側Ｐ２は、後述する止水材１９を具備し、この止水材１９の表面が竪孔３の竪面９と当接するＡ１当接竪面１１となっている。また、柱体２３の背面は、下端側Ｐ２が後述する補助具５と当接するＡ２当接竪面１３となっている。
【００３３】
止水材１９は、発泡又は無発砲の柔軟な樹脂やゴム等で形成されたシート状の部品であって、接着剤や粘着剤等を用いて柱体２３の止水板当接面７の下方部に貼り付けられている。止水材１９は、上述した嵌装上端縁Ｐ３より上方に突出して配設することが望ましく、止水板１０７の設置に伴う押圧力で止水材１９を圧縮させて止水効果を奏することができる。上述のとおり、柱体２３に止水材１９を貼り付けることで、止水材１９の外側の面（貼付け面の反対側）がＡ１当接竪面１１となる。
【００３４】
止水材１９の各部の寸法は、止水板用支持柱１のサイズに応じて適宜決定すればよいが、高さ方向の寸法は１０ｍｍ〜８０ｍｍ程度とし、厚さ寸法は１ｍｍ〜１０ｍｍ程度で、押圧時は０．５ｍｍ〜３ｍｍ程度に圧縮されることが望ましい。また、図２（ｃ）に示すとおり、嵌装上端縁Ｐ３から上方に突出させる寸法は５ｍｍ以内、より好ましくは１ｍｍ〜３ｍｍ程度とすることが望ましい。
【００３５】
また、柱体２３のＡ１当接竪面１１の下方部は、前方に突出した突出部２０が設けられている。止水板１０７に水圧がかかると、止水板用支持柱１は後方（傾斜上端側が建物内部側に傾くように傾斜）に傾斜するが、大きく傾斜すると止水板用支持柱１と竪孔３との止水性を阻害することになり、止水板１０７と建物開口や床面との止水にも影響されることになる。しかし、前記した突出部２０があれば、突出部２０が竪孔３の竪面９に当接するので、それ以上の止水板用支持柱１の傾斜を防止できる。
【００３６】
突出部２０の突出高さ寸法は、止水材１９の寸法及び圧縮率等によって決定することが望ましいが、例えば１ｍｍ〜２ｍｍ程度とすることが望ましい。
【００３７】
３．補助具５の構造
続いて、図４（ａ）及び（ｂ）を用いて補助具５の構造について詳細に説明する。図４（ａ）及び（ｂ）は、補助具５の構造を示す図であって、図４（ａ）は、補助具５の正面図であり、図４（ｂ）は、補助具５の右側面図である。補助具５の正面は、止水板用支持柱１と当接するＢ１当接竪面１５となっており、補助具５の背面は、竪孔３の竪面９と当接するＢ２当接竪面１７となっている。
【００３８】
補助具５は、ステンレスやアルミニウム等の耐蝕性を有した金属材料、高剛性を有した樹脂材料又はゴム等で形成された扁平状の部品である。各部の寸法は、止水板用支持柱１及び竪孔３の寸法等から適宜決定すればよいが、より確実に止水板用支持柱１を設置するためには、Ｂ１当接竪面１５の幅寸法は上述した止水板用支持柱１のＡ１当接竪面１１及びＡ２当接竪面１３の幅寸法Ｌ４と略同寸法とし、厚さ寸法Ｔ１は２ｃｍ〜１０ｃｍ程度とすることが望ましい。
【００３９】
補助具５の上方には、使用者が操作する際に把持する把持部３３が備わっているため、容易に運搬でき、竪孔３への着脱も簡便になる。下方は、Ｂ１当接竪面１５を除く他の面が所定の角度で傾斜したテーパにより構成された先端部３７を形成している。補助具５に先端部３７を設けることにより、補助具５を容易に竪孔３へ嵌装することが可能となる。なお、上方の端面は、補助具５を竪孔３に嵌装する際、使用者が押圧するための押圧面３５である（把持部３３介して押圧することもできる。）。
【００４０】
４．竪孔３の構造
次に、図５（ａ）及び（ｂ）を用いて竪孔３の構造について詳細に説明する。図５（ａ）及び（ｂ）は、竪孔３の構造を示す図であって、図５（ａ）は、竪孔３を上方から見た平面図であり、図５（ｂ）は、図５（ａ）に示す矢視Ａの断面図である。竪孔３は、建物開口１０１近傍の床面１０９に配設し、上記止水板用支持柱１を嵌装して設置する孔である。
【００４１】
竪孔３は、床面１０９に対して所定の掘削を施し、コンクリートやモルタル、耐蝕性を有する金属材料、高剛性を有する樹脂又はゴム等を用いて複数の竪面９を形成し、上面のない箱状を形成すればよい。また、建物内部側１０３に位置する竪面９は、補助具５の先端部３７と嵌合する等の所望の理由により、図５に示すように、下方が所定の角度で傾斜した斜面４５が配設されて底面４３とつながるようにしてもよい。
【００４２】
竪孔３の寸法は、上述した止水板用支持柱１及び補助具５の寸法に応じて適宜決定すればよく、深さ寸法Ｌ１は、５ｃｍ〜５０ｃｍ程度、建物開口１０１の間口方向の幅寸法Ｌ７は、５ｃｍ〜５０ｃｍ、建物外部側１０５及び建物内部側１０３方向の幅寸法Ｌ２は、５ｃｍ〜５０ｃｍ、また、上述した斜面４５の幅寸法Ｌ３は、補助具５の厚さ寸法Ｔ１と略同様にすることが望ましい。
【００４３】
なお、竪孔３に対する止水板用支持柱１及び補助具５の嵌装の作業性を向上するため、各部の固定が著しく低下しない程度に上記各部の寸法にクリアランスを加えて構成してもよい。
【００４４】
図５（ｂ）に示すとおり、各竪面９の上端部を折り曲げて拡幅し、後述の蓋４１を嵌合させるための蓋当接面３９が設けられている。床面のグランド高さと蓋当接面３９の高さの差、即ち蓋当接面３９の落ち込み高さを、蓋４１の周縁部厚みと略同じとすることで、止水板用支持柱１を使用しない際に蓋４１で竪孔３を塞いでも、床面に段差を生じないように平坦にすることができる。
【００４５】
次に、図６（ａ）及び（ｂ）を用いて蓋４１の構造を詳細に説明する。図６（ａ）及び（ｂ）は、蓋４１の構造を示す図であって、図６（ａ）は、蓋４１を上方から見た平面図であり、図６（ｂ）は、図６（ａ）に示す矢視Ｂの断面図である。蓋４１は、止水板用支持柱１を使用しない際に、上述した竪孔３を塞ぐ部品である。
【００４６】
図６（ａ）及び（ｂ）に示すとおり、蓋４１は、略矩形の板状部品であって、一方の面に可動式把持部４７が配設されている。蓋４１の寸法は、上記可動式把持部４７が収納可能な厚さで、上述した竪孔３の蓋当接面３９に当接して嵌合可能な寸法とすることが望ましい。可動式把持部４７は、蓋４１との接続部がヒンジとなっており、該ヒンジを軸にして蓋４１から起立させることができる。また、非起立時に可動式把持部４７が蓋４１内に収納できるよう、例えば可動式把持部４７の形状に相似した凹部を蓋４１に形成すれば、蓋４１を竪孔３に嵌合させた際に可動式把持部４７を収納して蓋４１を平滑な状態とすることができる。また、可動式把持部４７と蓋４１との接続は、上記したようなヒンジ方式を適用できるほか、直立した逆Ｕ字状の可動式把持部４７の両下端側を上下に摺動可能な貫通孔を蓋４１に設けておき、その孔に可動式把持部４７の両下端側を落とし込んで収納する、所謂落とし込み式を採用してもよい（その際は、可動式把持部４７と蓋４１とが離隔してしまわないように、可動式把持部４７の下端側に突出部を設けて抜け止めとすればよい。）。
【００４７】
５．止水板１０７の設置方法
次に、図７、図８及び図９を用いて、止水板用支持柱１と、竪孔３と、補助具５と、を用いた止水板１０７の設置方法を詳細に説明する。図７は止水板用支持柱１と、補助具５と、を竪孔３に嵌装する状況を示す模式図であり、図８は竪孔３に嵌装した止水板用支持柱１及び補助具５における建物内部側１０３から建物外部側１０５方向の断面図であり、図９は止水板１０７を建物開口１０１に設置した状態を上方から床面１０９を見た平面図である。
【００４８】
まず、図７に示すとおり、竪孔３に嵌合している蓋４１を取り外して竪孔３を開口させた後、止水板用支持柱１の把持部２５を把持し、止水板当接面７を建物外部側１０５に対向させつつ、竪孔３の建物外部側１０５に位置する竪面９にＡ１当接竪面１１が当接するよう、竪孔３内に止水板用支持柱１を嵌装する。
【００４９】
続いて、補助具５の把持部３３を把持して止水板用支持柱１のＡ２当接竪面１３にＢ１当接竪面１５を当接し、竪孔３の建物内部側１０３に位置する竪面９とＢ２当接竪面１７が当接するよう、竪孔３内の、止水板用支持柱１の後方（建物内部側１０３）に補助具５を嵌装する。これに際し、補助具５押圧面３５を押圧することで、嵌装を容易に行うことができる。なお、この嵌装の最初の段階で、先窄まり状に形成された先端部３７を竪孔３（止水板用支持柱１のＡ２当接竪面１３と、竪孔３の建物内部側１０３に位置する竪面９との間）に挿入して全体を誘導することで容易に補助具５を竪孔３に嵌装することができる。
【００５０】
図８に示すとおり、補助具５を竪孔３内に嵌装することで、止水板用支持柱１が建物外部側１０５方向に押し詰められることになるので、止水材１９が押圧される。これにより、竪孔３に対する止水板用支持柱１の嵌装位置が定められて止水板用支持柱１が竪孔３内に確実に設置され、止水材１９によって、建物外部側１０５方向に位置する竪面９とＡ１当接竪面１１との隙間が確実に密閉されて、高い止水機能（水密性）を発揮できると共に、後述するように止水板用支持柱１に当接して止水板１０７を設置し、水圧によって止水板１０７が建物内部側１０３に倒れようとしたとしても、止水板用支持柱１は竪孔３内に押し詰められて設置されているため傾斜することなく、止水板１０７を支持できるようになる。
【００５１】
上記手順の伴い、止水板用支持柱１が確実に固定され、止水板用支持柱１を介して建物開口１０１に止水板１０７を設置することができる。図９に示すとおり、建物開口１０１を形成する両端の開口縁１１１と止水板用支持柱１との間に止水板１０７を運搬して床面１０９に立設させ、止水板１０７の建物開口１０１における間口方向の端部それぞれを、開口縁１１１と止水板用支持柱１とに固定する。止水板１０７の間口方向の端部と開口縁１１１、あるいは止水板用支持柱１との固定には、公知の手法を用いることができ、例えば特開２０１７−１６０６９３号公報に示されるトグル式の金具を用いて固定すればよい。
【００５２】
使用する止水板１０７は、例えば略平行な第一の面（前方面）及び第二の面（後方面）を有し、所定の厚みを有する略矩形の板状部材であり、止水板としての機能を果たしかつ本発明の効果を損なわない範囲で種々の材料を用いて構成されたものが好ましい。樹脂製であっても金属製であってもよく、また、例えば止水板の主体部分が樹脂製で周縁に金属製の枠材を以って構成していてもよいし、少なくとも第一の面と第二の面を有し、その間を桟構造で連結した中空構造を有していてもよい。
【００５３】
止水板１０７の間口方向両端部（例えば間口方向両端部の後方面）及び止水板１０７の下端（床面１０９に当接する面）には、高さ方向及び水平方向に延びる止水パッキン（図示せず）が配設されていることが望ましい。止水パッキンは、ゴム材料、樹脂材料若しくは樹脂発泡体又は空気袋体等で構成することができ、止水板１０７に水圧が負荷されたときに弾性変形して水圧を受け止め、かつ止水板１０７と開口縁１１１及び床面１０９との間から漏水しないように密封する、いわゆるシール材あるいはパッキンとしての機能を持つ（なお、ここでは、止水板１０７に設けた止水材を、止水板用支持柱１の止水材と区別しやすくするために便宜上「止水パッキン」と表記しているが、この止水パッキンと止水板用支持柱１の止水材とは、本質的に相違するものではなく、同材同種のものを用いて形成してもよいことは言うまでもない。）。
【００５４】
止水板用支持柱１の下部は、上述のとおり止水材１９が床面１０９より上方に突出しているため、設置した止水材１０７の下端に配設された止水パッキンと当接し、止水板用支持柱１下部近傍の止水性を向上する。
【００５５】
なお、止水板用支持柱１が嵌装された竪孔３の外周には、上述した蓋当接面３９の存在によって形成された落ち込み部、所謂溝が存在するが、建物外部側１０５に位置する部分（止水材１９に隣接する建物外部側１０５に位置する溝）には、止水板１０７の下端に配設された止水パッキンが上部から覆うため、水が建物外部側１０５からの蓋当接面３９に浸入することを防止できる。本実施形態のように、止水板用支持柱１を介して、建物開口１０１に二枚の止水板１０７を設置する場合においても止水板１０７の止水パッキンが溝を上から覆うため、同様に止水性を担保できるが、二枚の止水板１０７間の隙間を詰め、蓋当接面３９の建物外部側１０５に位置する部分全てを覆うよう設置してもよい。また、二枚の止水板１０７の双方が当接する端面に止水パッキンを配設すれば、より確実に上記止水を行うことができる。
【００５６】
６．止水板用支持柱１を用いたその他の止水板１０７の設置態様
本発明は、上述以外にも止水板用支持柱を用いたその他の止水板１０７の設置態様を取ることもできる。図１０（ａ）及び（ｂ）を用いて、止水板用支持柱を用いたその他の止水板１０７の設置態様について説明する。図１０（ａ）及び（ｂ）は、止水板用支持柱を用いたその他の止水板１０７の設置態様を示す図であって、図１０（ａ）は、出隅状の建物開口１０１に対応した態様を示す平面図であり、図１０（ｂ）は、傾斜した壁面の建物開口１０１に対応した態様を示す平面図である。
【００５７】
図１０（ａ）に示すような出隅状の建物開口１０１に対応する場合、例えば双方の開口縁１１１の延長線上における交差点に、双方の開口縁１１１と略平行な面を具備する略五角形の断面形状を有した止水板用支持柱２０１を設置すれば、当該止水板用支持柱２０１を介して二枚の止水板１０７を建物開口１０１に設置して止水を行うことができる。
【００５８】
また、図１０（ｂ）に示すような傾斜した壁面に設けられた建物開口１０１に対応する場合、止水板用支持柱１の止水板当接面７を傾斜した壁面と略平行となるよう設置し、当該止水板用支持柱１を介して建物開口１０１に止水板１０７を設置することで止水を行うことができる。
【００５９】
更に、図１０（ｃ）に示すように、止水板用支持柱１を介して一枚の止水板１０７を建物開口１０１に設置し、建物内部側１０３から当該止水板１０７の略中央を支持することで撓みを防止し、耐水圧性及び止水性を向上させてもよい。
【００６０】
上述のとおり、建物開口１０１及び開口縁１１１の形状に応じて止水板用支持柱の形状や配置方法を変更すれば、建物開口１０１の態様に応じて幅広く対応することができる。
【００６１】
７．その他の止水板用支持柱及び補助具
次に、図１１と、図１４（ａ）及び（ｂ）と、を用いてその他の止水板用支持柱５１について説明する。図１１は、止水板用支持柱５１の構造を示す斜視図である。図１４（ａ）及び（ｂ）は、止水板用支持柱５１の変形例を示す図であって、図１４（ａ）は、止水板当接面５７にＩ形突起８３を具備させた止水板用支持柱５１の断面図であり、図１４（ｂ）は、止水板当接面５７にＴ形突起８５を具備させた止水板用支持柱５１の断面図である。
【００６２】
図１１に示すとおり、Ｃ字形（略リップ溝形鋼と同様の断面形状）の断面形状を有する柱体７３を用い、上端側Ｐ１に天板８１及び下端側Ｐ２に底板７９を別途固定して構成した止水板用支持柱５１を用いることができる。これにより、Ａ２当接竪面６３を有する面が左右に分割され、略中央に縦方向に伸びるスリット８２を有する。
【００６３】
Ｃ字形の断面形状を有する柱体７３を用いれば、止水板用支持柱５１を容易に軽量化できると共に、使用する補助具の厚さ寸法が比較的薄いものであっても、柱体７３のスリット８２に足のつま先等を挿入して補助具の押圧面を下方に向かって強く押圧することができる（換言すれば、補助具の嵌装を容易かつ確実に行うことができる。）。
【００６４】
更に、止水板当接面５７の略中央に、縦方向に伸びるＩ形突起８３を配設（図１４（ａ）参照）、又はＴ形突起８５を配設（図１４（ｂ）参照）すれば、止水板１０７をより確実かつ簡便に位置決めして設置することができると共に、当該部位を止水板の固定に利用することも可能となる。即ち、開口縁１１１側に、床面１０９に対して略鉛直に伸びる溝を直接形成したり、コの字状の断面を有する鋼材等を配設すれば、上記Ｉ形突起８３やＴ形突起８５と共に止水板１０７を間口方向両端から支持することが可能となり、より確実な設置を行うことができる。
【００６５】
続いて、図１２（ａ）及び（ｂ）と、図１３（ａ）及び（ｂ）と、を用いてその他の補助具について説明する。図１２（ａ）及び（ｂ）は、補助具５５を示す図であって、図１２（ａ）は、補助具５５の構造を示す斜視図であり、図１２（ｂ）は、補助具５５を用いて竪孔３に止水板用支持柱５１を嵌装した状態を示す断面図である。また、図１３（ａ）及び（ｂ）は、補助具２５５を示す図であって、図１３（ａ）は、補助具２５５の構造を示す斜視図であり、図１３（ｂ）は、補助具２５５を用いて竪孔３に止水板用支持柱５１を嵌装した状態を示す断面図である。
【００６６】
図１２（ａ）に示すような、補助具５５本体の前後面から前方（建物外部側１０５）及び／又は後方（建物内部側１０３）に突出ないし膨出して形成した面積の広い押圧面７１（図１２では前方及び後方に膨出するように押圧面７１を形成している。）を具備させた補助具５５を構成すれば、竪孔３への嵌装時において、補助具５５に対してより確実に押圧力を加えることができる。また、図１２（ｂ）に示すとおり、上述した止水板用支持柱５１と合わせれば、押圧面７１がＡ２当接竪面６３に干渉することなく、止水板用支持柱５１に沿わせて竪孔３に嵌装することができる。
【００６７】
また、図１３（ａ）に示すような、Ｂ１当接竪面２６５の略中央で縦方向に伸びるＴ形突起２７２を具備した補助具２５５を構成すれば、図１３（ｂ）に示すように上述した止水板用支持柱５１の双方のＡ２当接竪面６３を溝２７４と嵌合することで、補助具２５５がスリット８２に沿って上下方向にスライド可能となり、止水板用支持柱５１と補助具２５５とを一体的に構成することができる。これにより、例えば補助具２５５の紛失や補助具２５５の嵌装忘れ等を解消し、止水板１０７の設置時に迅速に止水板用支持柱５１の設置作業を行うことができる。
【００６８】
以上、本実施形態における止水板用支持柱の設置方法の代表的な実施形態について図面を参照しつつ説明してきたが、本発明は、これらの実施形態に限定されるものではなく、特許請求の範囲の記載の精神及び教示を逸脱しない範囲でその他の変形例や改良例が存在し、これらは全て本発明の技術的範囲に含まれる。
【００６９】
例えば、上記した蓋当接面３９を構成せず、例えば一部が直接竪孔３の底面４３に当接支持して嵌合可能な蓋を形成して用いてもよい。またあるいは、図１５（ａ）及び（ｂ）に示すようなその他の蓋当接面２３９を構成してもよい。図１５（ａ）及び（ｂ）は、その他の蓋当接面２３９の構造を示す図であって、図１５（ａ）は、蓋当接面２３９を具備する竪孔２０３を示す平面図であり、図１５（ｂ）は、図１５（ａ）の矢視Ｂを示す断面図である。
【００７０】
蓋当接面２３９は、建物開口１０１の間口方向に対向する二つの竪面２０９と、建物外部側１０５に対向する竪面２０９と、の３つの面の上端部を折り曲げて拡幅することで構成する一方、建物内部側１０３に対向する竪面２０９（即ち、竪孔の建物外部側１０５寄りに形成された竪面）は床面１０９まで折り曲げずに、竪孔上端縁まで略鉛直に形成されているため、止水板用支持柱１を嵌装した際に、建物外部側１０５に位置する部分には溝が形成されない。即ち、止水板１０７を設置する際に、止水板１０７が接地する床面に溝がないため、当該部分での止水性をより向上できる。
【００７１】
このような蓋当接面２３９を具備した竪孔２０３を構成すれば、蓋４１を嵌合させて竪孔２０３を塞ぎつつ床面１０９を平担に維持することができると共に、簡便に止水性を担保することができる。より具体的には、止水板用支持柱１を介して、建物開口１０１に二枚の止水板１０７を設置する際、上述の実施形態では双方の止水板１０７間の隙間を詰めて止水板１０７の下端に配設した止水パッキンで蓋当接面３９の建物外部側１０５に位置する部分の溝全てを覆うよう設置して止水性を担保しなくとも、その他の蓋当接面２３９を具備した竪孔２０３であれば、上述のとおり建物外部側１０５に位置する部分に溝が形成されないため、二枚の止水板１０７間の隙間を厳密に詰めて配設しなくても水が浸入する隙間が形成されないため、止水板１０７の配設方法を簡便化しつつ止水性を担保することができる。
【産業上の利用可能性】
【００７２】
本実施形態における止水板は、高い圧性等を備えながら、簡便容易に止水板用支持柱を設置可能とする止水板用支持柱の設置構造である。
【符号の説明】
【００７３】
１      止水板用支持柱
３      竪孔
５      補助具
７      止水板当接面
９      竪面
１１    Ａ１当接竪面
１３    Ａ２当接竪面
１５    Ｂ１当接竪面
１７    Ｂ２当接竪面
１９    止水材（パッキン）
２０    突出部
２１    押圧面
２３    柱体
２５    把持部
２７    突起部
２９    底板
３１    天板
３３    把持部
３５    押圧面
３７    先端部
３９    蓋当接面
４１    蓋
４３    底面
４５    斜面
４７    可動式把持部
５１    止水板用支持柱
５５    補助具
５７    止水板当接面
６１    Ａ１当接竪面
６３    Ａ２当接竪面
７１    押圧面
７３    柱体
７９    底板
８１    天板
８２    スリット
８３    Ｉ形突起
８５    Ｔ形突起
１０１  建物開口
１０３  建物内部側
１０５  建物外部側
１０７  止水板
１０９  床面
１１１  開口縁
１１３  止水板固定具
２０１  止水板用支持柱
２０３  竪孔
２０９  竪面
２３９  蓋当接面
２５５  補助具
２６５  Ｂ１当接竪面
２７２  Ｔ形突起
２７４  溝
Ｐ１    上端側
Ｐ２    下端側
Ｐ３    嵌装上端縁
Ｌ１    深さ寸法
Ｌ２    幅寸法
Ｌ３    幅寸法
Ｌ４    幅寸法
Ｌ５    幅寸法
Ｌ６    高さ寸法
Ｌ７    幅寸法
Ｔ１    厚さ寸法
【図１】
2019127788.tif 000003
【図２】
2019127788.tif 000004
【図３】
2019127788.tif 000005
【図４】
2019127788.tif 000006
【図５】
2019127788.tif 000007
【図６】
2019127788.tif 000008
【図７】
2019127788.tif 000009
【図８】
2019127788.tif 000010
【図９】
2019127788.tif 000011
【図１０】
2019127788.tif 000012
【図１１】
2019127788.tif 000013
【図１２】
2019127788.tif 000014
【図１３】
2019127788.tif 000015
【図１４】
2019127788.tif 000016
【図１５】
2019127788.tif 000017